(57)【特許請求の範囲】
【請求項１】
頂部に向かって先細りとなるテーパを有する円筒状構築物の足場装置であって、
前記円筒状構築物の外周回りに水平に配設される円環状の吊りバンドと、
前記吊りバンドに吊り下げられると共に、前記円筒状構築物の外周面と接触して前記円筒状構築物の周方向に沿って配設され、その上に矩形状の足場板が載置される作業足場と
を備え、
前記吊りバンドは、周方向に沿って複数のバンドユニットに分割されていると共に、周方向に隣接するバンドユニットは、その間隔を調整可能とするバンド接続手段により接続されており、かつ、
前記作業足場は、周方向に沿って複数の足場ユニットに分割されていると共に、周方向に隣接する足場ユニットは、その間隔を調整可能とする足場接続手段により接続されており、さらに、
前記バンドユニットと足場ユニットとは、前記バンドユニットに対する足場ユニットの吊り下げ位置を調整可能に保持する吊り下げ位置調整手段により接続されており、前記足場ユニットは、吊りロープを介して前記吊りバンドの高さ方向の移動を補助すると共に当該吊りバンドを仮支持する、前記円筒状構築物と対向するように立設された棒状の吊り支持部材を備えていることを特徴とする円筒状構築物の足場装置。
【請求項２】
前記吊り支持部材は、その先端に前記吊りロープを架け回す滑車を備えていると共に、前記吊りロープの一端を固定する固定部を備えていることを特徴とする請求項１に記載の円筒状構築物の足場装置。
【請求項３】
前記足場ユニットは、上段足場と下段足場の上下２段に構成されており、上段足場と下段足場との間には、相互の連絡を可能とする連絡足場が取り付けられていることを特徴とする請求項１又は２に記載の円筒状構築物の足場装置。
【請求項４】
煙突外周面回りに配設され、前記上段足場と下段足場との間で前記足場ユニットを煙突外周面に固定する胴回しワイヤーをさらに備え、前記連絡足場は、前記上段足場と前記胴回しワイヤーとに番線固定することにより取り付けられていることを特徴とする請求項３に記載の円筒状構築物の足場装置。
【請求項５】
前記円筒状構築物に対する設置高さに応じて、周方向に配置されるバンドユニット及び／又は足場ユニットの設置数を変更することを特徴とする請求項１ないし４のいずれかに記載の円筒状構築物の足場装置。
【請求項６】
前記上段足場は、周方向に沿って水平に配置された二等辺三角形状の複数の上段フレームと、周方向に隣接する上段フレームに渡って敷設される長方形状の足場板とを備え、前記二等辺三角形状の上段フレームの頂角の開き角度は２４〜４６°の範囲に設定されていることを特徴とする請求項３ないし５のいずれかに記載の円筒状構築物の足場装置。
【請求項７】
請求項１〜６のいずれかに記載の円筒状構築物の足場装置を用い、
前記吊りバンドを前記吊り支持部材を介して吊りロープにより高さ方向に移動させた後、前記吊り支持部材により仮支持し、所定のテーパに従って変化する円筒状構築物の外径に応じて、前記吊りバンドの接続長やバンドユニットの接続数を変更して、円筒状構築物の外周に固定する吊りバンド移動設置工程と、
前記吊りバンドの移動に伴い、前記吊り下げ位置調整手段により、前記足場ユニットの吊り下げ位置を変更する足場ユニット吊り下げ調整工程と、
吊り下げ位置が変更された足場ユニットを、所定のテーパに従って変化する円筒状構築物の外径に応じて、隣接する足場ユニットの接続長や足場ユニットの接続数を変更して、円筒状構築物の外周に固定する足場ユニット接続設置工程と
を備えることを特徴とする円筒状構築物の足場装置の移動方法。
【発明の詳細な説明】
【技術分野】
【０００１】
本発明は、円筒状構築物の外壁（外周面）の補修等に用いられる足場装置及びその移動方法に関し、特に、テーパを有する煙突等の頂部から吊り下げることなく外周面の補修等を可能とする円筒状構築物の足場装置及びその移動方法に関するものである。
【背景技術】
【０００２】
従来、煙突等の円筒状構築物の補修や解体には、高所作業用の足場が用いられており、かかる円筒状構築物に沿って上下に移動可能に構成した足場装置が提案されている（例えば、特許文献１参照）。
【０００３】
ここで、特許文献１には、分割された複数の足場ユニットのそれぞれが独立して上下に移動可能なように構成された足場装置が開示されている。
【先行技術文献】
【特許文献】
【０００４】
【特許文献１】実願昭６３−５３５０１号公報
【発明の概要】
【発明が解決しようとする課題】
【０００５】
しかしながら、上記特許文献１に開示された先行技術では、煙突等の頂部から各足場ユニットを吊り下げる構成であるため、まず、煙突等の頂部に足場ユニットを吊り下げる支持部材を取り付けることが必要となる。
【０００６】
ここで、煙突頂部からはＣＯ2等のガスが排出されていると共に、煙突頂部には一般に手摺等がないため、劣悪で危険な作業環境となっている。
【０００７】
そして、このような頂部取り付け作業を行うためには、ときに地上高１２０ｍを超える高層煙突等の外周に取り付けられた既設の梯子等を用いることになるが、かかる梯子等は破損したり老朽化している場合が多く、このような梯子等を用いて煙突頂部まで登ること自体が困難であるといった問題が生じていた。
【０００８】
また、上記特許文献１に開示された先行技術では、周方向に隣接する足場ユニットの間隔が固定されているため、煙突の途中に梯子の踊り場等の突設物（障害物）があると、当該突設物が障害となって足場ユニットの設置や移動が困難となるといった問題が生じていた。
【０００９】
さらに、頂部に行くにつれ細くなるテーパの付いた煙突等では、周方向に一定の間隔で配置した足場ユニットと煙突の外周面との距離が足場ユニットの位置（高さ）により変動する（煙突上部に行くにつれ、煙突径が細くなって足場ユニットとの離隔距離が大きくなる）ので、煙突外周面との離隔距離を一定に維持することが困難であり、足場ユニットと煙突外周面との間に隙間が生じ易いといった問題も生じていた。
【００１０】
そこで、本発明は、上述のような従来技術の問題点に鑑みてなされたものであり、円筒状構築物の頂部から吊り下げることなく高さ方向への移動を可能とする足場装置及びその移動方法を簡易な構成で安価に提供することを目的とする。
【課題を解決するための手段】
【００１１】
上記目的を達成するために、本発明に係る円筒状構築物の足場装置は、頂部に向かって先細りとなるテーパを有する円筒状構築物の足場装置であって、前記円筒状構築物の外周回りに水平に配設される円環状の吊りバンドと、前記吊りバンドに吊り下げられると共に、前記円筒状構築物の外周面と接触して前記円筒状構築物の周方向に沿って配設され、その上に矩形状の足場板が載置される作業足場とを備え、前記吊りバンドは、周方向に沿って複数のバンドユニットに分割されていると共に、周方向に隣接するバンドユニットは、その間隔を調整可能とするバンド接続手段により接続されており、かつ、前記作業足場は、周方向に沿って複数の足場ユニットに分割されていると共に、周方向に隣接する足場ユニットは、その間隔を調整可能とする足場接続手段により接続されており、さらに、前記バンドユニットと足場ユニットとは、前記バンドユニットに対する足場ユニットの吊り下げ位置を調整可能に保持する吊り下げ位置調整手段により接続されていることを特徴とするものである。
【００１２】
このような構成によれば、円筒状構築物の頂部から吊り下げることなく、高さ方向の移動を可能とする足場装置を簡易な構成で安価に実現することができる。
【００１３】
また、前記足場ユニットは、吊りロープを介して前記吊りバンドの高さ方向の移動を補助すると共に当該吊りバンドを仮支持する、前記円筒状構築物と対向するように立設された棒状の吊り支持部材を備えていてもよい。
【００１４】
このように構成した場合には、吊りバンドを移動させる際の仮支持を可能として障害物等の回避を容易にすると共に、水平な位置決めを容易にして、吊りバンドを高さ方向に移動させる際の作業性を格段に向上させることができる。
【００１５】
さらに、前記吊り支持部材は、その先端に前記吊りロープを架け回す滑車を備えていると共に、前記吊りロープの一端を固定する固定部を備えていてもよい。
【００１６】
このように構成した場合には、吊りバンドの高さ方向の移動補助と仮支持とを可能とする吊り支持部材を簡易な構成で容易に実現することができる。
【００１７】
以上において、前記足場ユニットは、上段足場と下段足場の上下２段に構成されており、上段足場と下段足場との間には、相互の連絡を可能とする連絡足場が取り付けられていてもよい。
【００１８】
このように構成した場合には、隣接する足場ユニット間の接続作業や足場ユニットを円筒状構築物の外周面に補助的に固定する補助ワイヤーの取り付け作業を、下段足場からより安全に容易に可能とすると共に、既設の梯子等が利用できない状況でも、上下２段構成の足場間の移動及び複数の連絡通路の形成を容易に可能として作業性の一層の向上に寄与することができる。
【００１９】
また、煙突外周面回りに配設され、前記上段足場と下段足場との間で前記足場ユニットを煙突外周面に固定する胴回しワイヤーをさらに備え、前記連絡足場は、前記上段足場と前記胴回しワイヤーとに番線固定することにより取り付けられていてもよい。
【００２０】
このように構成した場合には、上段足場と下段足場との間を自由に往来する連絡足場を簡易な構成で設置することができる。
【００２１】
さらに、前記円筒状構築物に対する設置高さに応じて、周方向に配置されるバンドユニット及び／又は足場ユニットの設置数を変更してもよい。
【００２２】
このように構成した場合には、先細りとなる円筒状構築物の外周径に応じて、バンドユニットや足場ユニットの設置数を適切に変更して、円周上に配置された足場をより安定して外周面に固定すると共に、足場と外周面との隙間を最小限に抑制することができる。
【００２３】
さらにまた、前記上段足場は、周方向に沿って水平に配置された二等辺三角形状の複数の上段フレームと、周方向に隣接する上段フレームに渡って敷設される長方形状の足場板とを備え、前記二等辺三角形状の上段フレームの頂角の開き角度は２４〜４６°の範囲に設定されていてもよい。
【００２４】
このように構成した場合には、円筒状構築物の外周に沿って配設される長方形状の標準サイズの足場板を、上段フレームの斜辺（等辺）に沿って、足場板の長辺と略直交するように固定することができ、足場板をより安定して確実に固定することができる。
【００２５】
本発明に係る円筒状構築物の足場装置の移動方法は、上記いずれかの円筒状構築物の足場装置を用い、前記吊りバンドを前記スタンドを介して吊りロープにより高さ方向に移動させた後、前記スタンドにより仮支持し、所定のテーパに従って変化する円筒状構築物の外径に応じて、前記吊りバンドの接続長やバンドユニットの接続数を変更して、円筒状構築物の外周に固定する吊りバンド移動設置工程と、前記吊りバンドの移動に伴い、前記吊り下げ位置調整手段により、前記足場ユニットの吊り下げ位置を変更する足場ユニット吊り下げ調整工程と、吊り下げ位置が変更された足場ユニットを、所定のテーパに従って変化する円筒状構築物の外径に応じて、隣接する足場ユニットの接続長や足場ユニットの接続数を変更して、円筒状構築物の外周に固定する足場ユニット接続設置工程とを備えることを特徴とするものである。
【００２６】
このような移動方法によれば、足場装置を円筒状構築物の頂部から吊り下げることなく、所定のテーパに応じて変化する円筒状構築物の外径に応じて、適切に接続長を変更調整しつつ途中の障害物を回避可能とし、作業用足場を高さ方向に円滑に移動することができる。
【発明の効果】
【００２７】
本発明によれば、煙突等の頂部に支持部材を設けることなく高さ方向に移動可能な足場装置及びその移動方法を簡易な構成で安価に実現することができる。
【図面の簡単な説明】
【００２８】
【図１】本発明に係る円筒状構築物の足場装置の一実施形態を示す模式図である。
【図２】実施の形態に係る足場ユニットの構成を示す模式的斜視図である。
【図３】実施の形態に係る足場装置の構成を示す平面図である。
【図４】実施の形態に係る吊りバンドの構成を示す斜視図である。
【図５】実施の形態に係る足場装置における足場板の敷設状態を示す平面図である。
【図６】実施の形態に係る連絡足場の設置状況を説明するための模式図である。
【図７】実施の形態に係る足場装置を用いた作業手順を説明するための模式図である。
【図８】実施の形態に係る足場装置を用いた作業手順を説明するための模式図である。
【発明を実施するための形態】
【００２９】
以下に、本発明に係る円筒状構築物の足場装置（以下、単に足場装置とも称する）の一実施形態について、図面を参照して説明する。ここで、図１は本発明に係る足場装置の一実施形態を説明するための模式図であり、図２は足場ユニットの構成を示す模式的斜視図であり、図３は上記足場装置の平面図である。
【００３０】
本発明に係る足場装置１は、頂部に向かって先細りとなる所定のテーパ（例えば、１／４０〜１／１００）を有する煙突等の円筒状構築物の点検調査、補修、解体等を行うための保守作業用の足場であり、本実施の形態に係る足場装置１は、図１〜図３に示すように、煙突１００の外周面１００Ｓに沿って周方向に配設された複数の足場ユニット１０，１０・・・を備えている。
【００３１】
具体的には、図１及び図２に示すように、本実施の形態に係る足場装置１は、煙突１００の外周面１００Ｓ回りに水平に取り付けられた円環状の鋼鉄製吊りバンド２０を備え、各足場ユニット１０は吊り下げ位置調整手段であるレバーブロック（登録商標）３０を介して吊りバンド２０から吊り下げられている。上記レバーブロック３０は、先端に鉤状のチェーンフック３０Ｆｃを有するチェーン３０Ｃと本体フック３０Ｆとを有し、このチェーン３０Ｃをハンドル３０Ｈの揺動操作により巻き揚げ又は巻き戻しすることによりチェーンの長さが調整可能となっている。本実施の形態では、株式会社キトー製の３／４ｔ吊りのレバーブロックを用いており、本体フック３０Ｆを吊りバンド２０に取り付けると共に、チェーンフック３０Ｆｃを足場ユニット１０に取り付けてセットし、ハンドル３０Ｈの操作により足場ユニット１０の取付位置（高さ）を調整するようになっている。
【００３２】
なお、図１において、符号１４Ｒは、フレーム状の足場ユニット１０の強度を補強するための筋交い部材であり、符号１００ｗは、煙突外周面１００Ｓ回りに略水平に配設され、足場ユニット１０の煙突外周面１００Ｓへの固定を補助する胴回しワイヤー（本例ではφ１９ｍｍ）である。また、符号１０Ｈは安全対策用の手摺であり、符号１０Ｎは足場ユニット１０全体を覆う防護ネットである。
【００３３】
図３に最も良く示されるように、周方向に隣接する足場ユニット１０，１０は、足場接続手段であるターンバックル４０により周方向の長さが可変なように互いに連結（接続）されている。そして、かかるターンバックル４０を締め付けることにより、円周上に配置された複数の足場ユニット１０，１０・・・の円周径を縮めて、各足場ユニット１０を煙突１００の外周面１００Ｓに押し付けることにより、複数の足場ユニット１０，１０・・・が円状に接続された足場装置１を煙突１００に固定設置するようになっている。
【００３４】
このように複数の足場ユニット１０，１０・・・を煙突１００の外周面１００Ｓに沿って配置すると共に、隣接する足場ユニット１０，１０間の距離を変更可能に接続することにより、円形状に形成された足場装置１の周長を、所定のテーパに基づいて変化する煙突１００の外周径に応じて適宜調整することが可能となる。
【００３５】
また、外周面１００Ｓと足場ユニット１０との隙間を略均一に最小に抑制して、当該足場ユニット上からの機材の落下等の危険性を未然に回避することができる。
【００３６】
一方、上記吊りバンド２０は、図４に示すように、複数に分割された厚さ約６ｍｍ程度の円弧状の鋼板製バンドユニット２０ａ，２０ａ・・・から構成されており、隣接するバンドユニット２０ａ，２０ａは、バンド接続手段である全ネジボルト（締め付けボルト）２０１により互いに接続されて円環状に形成され、煙突１００の外周径に応じてバンドユニット２０ａの接続数や締め付けボルト２０１の接続長（全ネジボルト２０１の両端部に取り付けられる不図示の端部締結ナット間の離隔距離）を変更して、吊りバンド２０の周長を適宜調整できるようになっている。また、各円弧状のバンドユニット２０ａには、レバーブロック３０や後述する吊りロープ１０Ｓｒを取り付けるための複数の吊り環２０３，２０３・・・が所定のピッチ間隔（例えば、３００ｍｍピッチ）で径方向に突出するように形成されている。
【００３７】
なお、本実施の形態において、少なくとも一のバンドユニットは、他のバンドユニット２０ａの長さ（例えば、３．５ｍ）よりも短い、長さ調整用のバンドユニット２０ａ0（例えば、１ｍ）として形成されている。
【００３８】
このように長さ調整用のバンドユニット２０ａ0を設けることにより、所定のテーパに伴い変化する煙突径に対応して、吊りバンド２０の周長をより適切に調整可能とし、吊りバンド２０を外壁面１００Ｓに密着させて取付信頼性の向上に寄与することができる。
【００３９】
また、本実施の形態では、コストダウンの観点から隣接するバンドユニット２０ａ，２０ａの接続に全ネジボルトを用いたが、接続長を適宜変更できるものであれば差し支えなく、例えば、バンドユニット２０ａ,２０ａ間の少なくとも一の接続箇所にチェーンブロック（ブロック内のギアを介して、チェーンを一方向に引けば締まり反対方向に引けば緩む）を用いてもよい。
【００４０】
このように、バンドユニット２０ａの接続箇所にチェーンブロックを用いた場合には、チェーンブロックから吊り下がったチェーンを巻き揚げ／巻き戻し操作することにより足場ユニット１０から吊りバンド２０の締め付け／緩めを容易に行うことができ、吊りバンド２０を接続固定する際の作業性の一層の向上に寄与することができる。
【００４１】
そして、上述した足場ユニット１０，１０間の接続長を変更する足場接続手段（本例では、ターンバックル４０）と、バンドユニット２０ａに対する足場ユニット１０の吊り下げ位置を調整可能に接続保持する吊り下げ位置調整手段（本例では、レバーブロック３０）との協働作用が相俟って、高さ方向に沿って外周径が変化する煙突１００の外壁（外周面１００Ｓ）に複数の足場ユニット１０，１０・・・から構成される足場装置１を安定して設置することが可能となる。
【００４２】
図１〜図３に戻って、各足場ユニット１０は、径方向に水平に延在する平面視二等辺三角形状の枠状の上段フレーム１２と、上段フレーム１２と直交する方向に延在する断面略矩形状の枠状の下段フレーム１４とを有し、かかる上段フレーム１２と下段フレーム１４とは一体に形成されている。そして、本実施の形態に係る足場ユニット１０は、上段フレーム１２及び下段フレーム１４のそれぞれに略長方形状の鋼製又はアルミ製の足場板ＳＢを載置（配設）した上下２段の足場構成となっている。
【００４３】
ここで、上段フレーム１２上に形成される足場は、主に外周面１００Ｓの補修や解体等の保守作業用の足場（以下、上段作業足場１５Ｕとも称する）であり、下段フレーム１４上に形成される足場は、主にターンバックル４０や胴回しワイヤー１００ｗの締め込み等の補助作業を行うための補助足場（以下、下段補助足場１５Ｄとも称する）である。
【００４４】
また、上段フレーム１２の煙突１００（外周面１００Ｓ）側には、当該外周面１００Ｓと接触する２つの接触部１２Ｐが形成されていると共に、下段フレーム１４の底辺１４ｂの煙突１００（外周面１００Ｓ）側には、当該外周面１００Ｓと接触する１つの接触部１４Ｐが形成されている。
【００４５】
すなわち、本実施の形態では、複数の各足場ユニット１０，１０・・・を周方向に接続するターンバックル４０を締め付けることにより、各足場ユニット１０の３つの接触部１２Ｐ，１２Ｐ，１４Ｐを煙突１００の外周面１００Ｓに押圧接触（３点支持）させて、吊りバンド２０から吊り下げられた２段構成の足場装置１を外周面１００Ｓに固定設置するようになっている。
【００４６】
また、図５に拡大して示すように、隣接する足場ユニット１０，１０間には、長方形状の複数（例えば、３〜４枚）のアルミ製足場板ＳＢが上段フレーム１２上に径方向に沿って隣接載置されている。この足場板ＳＢとしては、仮設工業会認定の標準品（長さ２０００ｍｍ×幅２４０ｍｍ）を用いることができ、本実施の形態において、一の足場ユニット１０の上段フレーム１２上には、両隣の足場ユニット１０からの足場板ＳＢが当該上段フレーム１２上で重ねられ、かつ、重ねられた足場板ＳＢは、上段フレーム１２の斜辺１２Ｒに沿って鉄線（番線）ＦＷにて固定されて上段作業足場１５Ｕを構成している。
【００４７】
本実施の形態において、二等辺三角形状の上段フレーム１２の等辺（斜辺）１２Ｒのなす頂角θは、２４〜４６°の範囲に設定されている。上段フレーム１２の頂角θをこのような範囲に設定することにより、煙突１００の外壁（外周面１００Ｓ）に沿って配設される長方形状の足場板ＳＢを上段フレーム１２の斜辺１２Ｒに沿って番線ＦＷにて固定する際、所定のテーパ角度（１／４０〜１／１００）に基づいて高さに応じて変化する煙突径に対して、上段フレーム１２上で重なる足場板ＳＢのそれぞれをその長辺と略直交するように番線固定することが可能となる。また、長方形状の標準足場板ＳＢを外周に沿って配置する場合、外周面１００Ｓから矩形状のフレームを放射状に配置する態様に比し、三角形状のフレームを放射状に配置した方が、標準足場板ＳＢをフレームの辺に沿って番線固定する際に、長方形状の足場板ＳＢをより円周に近似して配置することができ、足場板ＳＢと外周面１００Ｓとの隙間をより小さく抑制することが可能となる。これにより、補修作業やハツリ作業といった主たる保守作業を行う作業用足場１５Ｕをより確実に固定すると共に安全性の向上に寄与することができる。
【００４８】
一方、本実施の形態に係る下段フレーム１４は、筋交い部材１４Ｒにより足場ユニット１０の強度を補強すると共に、底辺１４ｂ上に上段フレーム１２と同様な複数（例えば、２枚）のアルミ製足場板（長さ２０００ｍｍ×幅２４０ｍｍ）を載置して番線固定することにより下段補助足場１５Ｄを構成している。
【００４９】
さらに、本実施の形態に係る足場装置１では、図１に最も良く示されるように、上段フレーム１２の外周面１００Ｓ側の端部（本例では、上段フレーム１２の斜辺１２Ｒの煙突側端部）に、吊りバンド２０の高さ方向の移動を補助すると共に、当該吊りバンド２０の仮支持を可能とする吊り支持部材であるスタンド１０Ｓが鉛直方向に立設されている。
【００５０】
上記スタンド１０Ｓは、少なくとも上段作業足場１５Ｕと吊りバンド２０との離隔距離よりも長尺（例えば、長さ２．５〜３．５ｍ程度）の棒状に形成されていると共に、その頂部に滑車１０Ｓｐが取り付けられている。かかる滑車１０Ｓｐには、さらに吊りロープ１０Ｓｒが架け回されており、その一端が吊りバンド２０の吊り環２０３に接続されていると共に、他端は作業者が握る（掴む）開放端となっている。また、スタンド１０Ｓの高さ方向中間部には、吊りバンド２０を一時的に支持（仮支持）するために、上記吊りロープ１０Ｓｒの開放端を巻き付けて固定する鉤状のフック（固定部）１０Ｓｆが形成されている。
【００５１】
なお、上記スタンド１０Ｓは、全ての足場ユニット１０に設ける必要はなく、一つおきの足場ユニット１０ごとに設ける等、設置数は適宜任意に設定することができる。
【００５２】
また、図６に示すように、本実施の形態に係る足場装置１は、足場ユニット１０を構成する上段作業足場１５Ｕと下段補助足場１５Ｄとを連絡する連絡足場ＣＳＢを備えている。
【００５３】
具体的には、本実施の形態において、煙突１００Ｓ側の足場板ＳＢには、長手方向中間部から上方に開放可能な開口部ＳＢ０が設けられており、かかる開口部ＳＢ０を開放することにより乗降口が形成されるようになっている。そして、図６に示すように、足場板ＳＢを開放した状態で、梯子状の連絡足場ＣＳＢを下段補助足場１５Ｄ上に載置し、当該連絡足場ＣＳＢを番線ＦＷにて胴回しワイヤー（本例では、上下２本の胴回しワイヤー）１００ｗに取り付けると共に、連絡足場ＣＳＢの長辺片側を近接する上段フレーム１２の斜辺１２Ｒに番線ＦＷにて取り付けることにより上段作業足場１５Ｕと下段補助足場１５Ｄとの連絡通路が形成されるようになっている。
【００５４】
なお、図６では、足場板ＳＢに開口部ＳＢ０を設けた構成を例示しているが、このような開口部ＳＢ０を設けずに、乗降口に対応する足場板ＳＢ自体を取り外して、開口部を形成してももちろんよい。なおこの場合には、連絡足場ＣＳＢに対応する上段作業足場１５Ｕの足場板ＳＢ（例えば、煙突１００側に近接する足場板）は、乗降の際に容易に取り外し／取り付けが可能なように、隣接する他の足場板ＳＢとは独立に上段フレーム１２の斜辺１２Ｒに番線固定しておくことが好ましい。また、連絡足場ＣＳＢの先端長さを延長して、かかる先端部を吊りバンド２０に番線固定するようにしてもよい。
【００５５】
以下に、このように構成した本実施の形態に係る足場装置１による作業手順（移動方法）を図面を参照して説明する。
【００５６】
まず、図７（ａ）に模式的に示すように、煙突１００の下部に接続された煙道等の既設の設備を回避するため、地上近傍に設けた所定の高さ（例えば、地上高１．５ｍ程度）の作業床ＷＢを事前に組み立てる。
【００５７】
その後、この作業床ＷＢを利用して、作業者が吊りバンド２０を煙突１００の外周面１００Ｓに沿って所定の位置（例えば作業床ＷＢからの高さ１．８ｍ程度）に水平に取り付ける。
【００５８】
次に、図７（ｂ）に示すように、複数（例えば１６個）のレバーブロック（３／４ｔ吊）３０が略均等な間隔で配置されるように、吊りバンド２０の吊り環２０３にレバーブロック３０の本体フック３０Ｆを取り付けると共に、吊り下げられたレバーブロック３０先端のチェーンフック３０Ｆｃを足場ユニット１０（本例では、上段フレーム１２の煙突１００側の対向辺１２ｆの略中央）に取り付ける（図２参照）。そして、レバーブロック３０のハンドル３０Ｈを操作し、吊りバンド２０よりも下方の適当な位置に足場ユニット１０を吊り下げてメカニカルブレーキにてロックする。
【００５９】
さらに、吊りロープ１０Ｓｒの一端についても、吊りバンド２０の吊り輪２０３に取り付けておく。なお、レバーブロック３０の本体フック３０Ｆ及び吊りロープ１０Ｓｒは、吊りバンド２０に設けられた任意の吊り輪２０３を適宜選択して取り付けることができる。
【００６０】
周方向に沿って同様な作業を行って、複数の足場ユニット１０，１０・・・をレバーブロック３０を介して吊りバンド２０から吊り下げると共に、対応するスタンド１０Ｓの吊りロープ１０Ｓｒを吊りバンド２０に取り付ける。その後、隣接する足場ユニット１０，１０同士をターンバックル４０にて連結して締め込む。これにより、各足場ユニット１０の接触部１２Ｐ，１２Ｐ，１４Ｐを外周面１００Ｓに押圧させて複数の足場ユニット１０，１０・・・を煙突外壁に沿って円形に接続して外周面１００Ｓに固定する。
【００６１】
なおこの際、例えば図３に示すように、既設の梯子ＳＴが設置されている箇所は、かかる梯子ＳＴを跨いで（梯子ＳＴの設置箇所に対応する足場ユニット１０を周方向に移動させて又は省いて）隣接する足場ユニット１０，１０同士を接続する。このように、本実施の形態に係る足場装置１によれば、煙突１００の外周面１００Ｓの状態に応じて、柔軟に足場ユニット１０の接続数や接続長（接続間隔）を変更することができるので、既設の突設物等の障害物を回避しつつ高さ方向に移動可能な足場装置１を容易に設置することができる。
【００６２】
さらに、安全性向上の観点から、胴回しワイヤー１００ｗにて、各足場ユニット１０を下段フレーム１４の対向辺（外周面１００Ｓに対向する辺）１４ｆを介して（含んで）締め付けて各足場ユニット１０の外周面１００Ｓへの位置決め固定を補助する（図１参照）。
【００６３】
次に、上段フレーム１２及び下段フレーム１４のそれぞれに足場板ＳＢを敷設（番線固定）し、上段作業足場１５Ｕ及び下段補助足場１５Ｄをそれぞれ形成し足場装置１を組み立てる。
【００６４】
なお、上段作業足場１５Ｕと下段補助足場１５Ｄ間の移動は、既設の梯子ＳＴが利用可能な場合には当該梯子ＳＴを用いることができるが、老朽化等により既設の梯子ＳＴが利用不能である場合には、前述したように、任意の足場ユニット１０の上段作業足場１５Ｕと下段補助足場１５Ｄ間に連絡足場ＣＳＢを設けることにより容易に移動可能となる。
【００６５】
すなわち、本実施の形態に係る足場装置１では、既設の梯子ＳＴが利用できないような状況でも保守作業及びこれに伴う補助作業を容易に行うことが可能となる。これにより、特に、大径（例えば、１０ｍ超）の煙突１００の補修等を行う際の作業性を一層向上させることができる。
【００６６】
足場装置１を組立固定した状態で煙突１００回りの補修等の保守作業を行った後、足場装置１を上昇させる際には、まず、吊りバンド２０が移動可能なようバンド接続手段（全ネジボルトやチェーンブロック）を緩める。
【００６７】
次に、図８（ａ）に模式的に示すように、スタンド１０Ｓの吊りロープ１０Ｓｒを引っ張り、吊りバンド２０を所望の位置（例えば、上段作業足場１５Ｕから３ｍ程度）まで吊り上げて水平に固定する（吊りバンド移動設置工程）。
【００６８】
なおこの際、作業効率の観点からは、複数の作業者（好ましくは、煙突の中心から見て点対称に配置された作業者）が同時に吊りロープ１０Ｓｒを引っ張って吊りバンド２０を引き上げることが好ましいが、単独の作業者が周方向に移動しながら吊りバンド２０を徐々に引き上げるようにしてもよい。
【００６９】
また、移動領域中の煙突外周面１００Ｓに梯子の手摺や部分的に突出した踊り場等の障害物がある場合には、上記スタンド１０Ｓを用いて吊りバンド２０（バンドユニット２０ａ）を一時的に支持（仮支持）し、この状態で対応する位置にあるバンドユニット２０ａや足場ユニット１０を移動若しくは省略したり（間引いたり）、又は接続長を変更することにより当該障害物を回避することが可能となる。
【００７０】
さらに、吊りバンド２０を吊り上げる（移動させる）際には、鉛直方向に立設されたスタンド１０Ｓをスケール（目盛り）代わりに用いることにより、移動させた吊りバンド２０をより安定して外周面１００Ｓ回りに水平に取り付けることが可能となる。
【００７１】
次に、図８（ｂ）に模式的に示すように、レバーブロック３０のハンドル３０Ｈを操作して、足場ユニット１０を所定の位置（例えば、吊りバンド２０の下方約３０ｃｍ）まで吊り上げてメカニカルブレーキにてロックする（足場ユニット吊り下げ調整工程）。
【００７２】
さらに、ターンバックル４０及び胴回しワイヤー１００ｗを締め込んで足場装置１を外周面１００Ｓに固定する（足場ユニット接続設置工程）。
【００７３】
なお、足場装置１を上昇させる際には、事前に胴回しワイヤー１００ｗを緩めておくことが好ましいが、移動領域内の外周面１００Ｓが平滑な場合（突設物等がない場合）には、当該外周面１００Ｓに対して線接触している胴回しワイヤー１００ｗは、面接触している吊りバンド２０に比し、先細りとなるテーパに沿って容易に上方へ移動（スライド）可能となるので、上記ワイヤー１００ｗを緩める作業を省略することができる（ワイヤー１００ｗを緩めることなくレバーブロック３０のハンドル操作のみで足場ユニット１０を上昇させることができる）。
【００７４】
また、上段作業足場１５Ｕと下段補助足場１５Ｄとの往復による作業効率の低下を抑制するという観点からは、例えば、足場装置１の上昇に伴う足場ユニット１０等の接続数削減により余剰の作業人員が生じた場合には、少なくとも１名の作業者を下段補助足場１５Ｄに残しておくことが好ましい。
【００７５】
このような手順を繰り返すことにより、煙突頂部に足場を吊り下げるための支持部材を設けることなく（煙突頂部から足場を吊り下げることなく）、足場装置１を徐々に上昇させながら煙突１００の外周面１００Ｓ回りの保守作業を行うことができる。
【００７６】
また、足場装置１を下降させる際にもスタンド１０Ｓを用いて同様な手順により行うことができる。特に、移動領域中に障害物がある場合には、スタンド１０Ｓを用いて吊りバンド２０を一時的に仮支持して当該障害物をかわすことにより、一層の作業性の向上を図ることができる。また、煙突径が大きい場合にも、バンドユニット２０ａの接続数が増えて当該バンドユニット２０ａの支持や水平な位置決めが困難となるため、上記スタンド１０Ｓを用いて下降させることが好ましい。
【００７７】
このように、スタンド１０Ｓの滑車１０Ｓｐを介して吊りロープ１０Ｓｒにより吊りバンド２０を引き上げることにより、作業者が直接吊りバンド２０を持ち上げる態様に比し、吊りバンド２０と外周面１００Ｓとの間に作業者が指を挟む等の危険を未然に回避して作業の安全性の向上を図ることができる。併せて、長尺のスタンド１０Ｓを用いることにより、移動作業の際の吊りバンド２０の移動可能距離を拡大させることができ、作業性の向上及び工期の短縮に寄与することができる。
【００７８】
なお、上記スタンド１０Ｓを用いない場合には、吊りバンド２０を移動（上昇／下降）させる際に、当該吊りバンド２０を支えながら作業を行う必要があるため、バンドユニット２０ａ毎に約１名の作業者が必要であったが、上記スタンド１０Ｓを用いることにより、上記吊りバンド２０の移動作業が約半分の作業人員で実施可能であることが検証できた。これにより、吊りバンド２０の移動距離の拡大と相俟って、足場装置１を移動（上昇／下降作業）させる際の生産性を大幅に向上（作業時間及び作業人員の大幅な削減）できることが確認できた。
【００７９】
以上、本発明に係る足場装置１によれば、超高所作業となる高層煙突頂部から足場を吊り下げることなく、地上近辺に設けた作業床ＷＢから順次足場ユニット１０を移動させて、煙突１００の外周面１００Ｓの保守作業が可能となると共に、高さによって外径が変化するテーパを有する煙突においても作業足場の位置決めを安定して行うことができる。
【００８０】
また、足場ユニット１０の設置数や隣接する足場ユニット１０，１０の離隔距離（接続間隔）を任意に変更できるので、高さによって外径が変化するテーパを有する煙突において足場板ＳＢと外周面１００Ｓとの隙間を最小限に抑制して安全性の向上に寄与することができる。
【００８１】
さらに、吊りバンド２０の高さ方向の移動を補助すると共に、仮支持を可能とする吊り支持部材１０Ｓを用いることにより、移動領域の途中に踊り場等の障害物が外周面１００Ｓから突設している場合でも当該障害物を容易に回避することができ、かつ、足場装置１を移動させる際の作業性を著しく向上させることができる。
【００８２】
なお、本発明の技術的範囲は上述した実施の形態に限定されるものではなく、本発明の要旨に逸脱しない範囲において多様な変更もしくは改良を加え得るものである。例えば、上記実施の形態では、コスト面からバンド接続手段として全ネジボルトやチェーンブロックを用いたが、さらなる作業性の向上を図ってレバーブロック３０を用いてもよい。
【符号の説明】
【００８３】
１：足場装置、１０：足場ユニット、１０Ｈ：手摺、１０Ｎ：防護ネット、１０Ｓ：スタンド、１０Ｓｆ：フック、１０Ｓｐ：滑車、１０Ｓｒ：吊りロープ、１２：上段フレーム、１２Ｐ，１２Ｐ，１４Ｐ：接触部、１２Ｒ：斜辺、１２ｆ：対向辺、１４：下段フレーム、１４Ｒ：筋交い部材、１４ｂ：底辺、１５Ｕ：上段作業足場、１５Ｄ：下段補助足場、２０：吊りバンド、２０ａ：バンドユニット、２０ａ0：長さ調整用バンドユニット、３０：レバーブロック、３０Ｃ：チェーン、３０Ｆ：本体フック、３０Ｆｃ：チェーンフック、３０Ｈ：ハンドル、４０：ターンバックル、１００：煙突、１００Ｓ：外周面、１００ｗ：胴回しワイヤー、２０１：全ネジボルト、２０３：吊り輪、ＦＷ：番線、ＳＢ：足場板、ＳＢ０：開口部、ＳＴ：梯子、ＷＢ：作業床、ＣＳＢ：連絡足場
【図１】
0005589183.tif 000002
【図２】
0005589183.tif 000003
【図３】
0005589183.tif 000004
【図４】
0005589183.tif 000005
【図５】
0005589183.tif 000006
【図６】
0005589183.tif 000007
【図７】
0005589183.tif 000008
【図８】
0005589183.tif 000009